(57)【要約】      （修正有）【課題】深さの異なる取付筒に適合できる伸縮可能なダウンライトを提供する。【解決手段】スリーブ１と、スリーブの一端に取り付けられた口金３と、スリーブの他端に接続された弾性部品４と、スリーブの外部に嵌設されたランプハウジング２と、ランプハウジング内に固定的に取り付けられかつ弾性部品のスリーブから離れた一端に接続された組立部品５と、ランプハウジング内に取り付けられた光源アセンブリ６と、及びランプハウジングの外側に取り付けられた面リング７を備え、ランプハウジングはスリーブを通過させるための退位開口を有し、スリーブとランプハウジングとの間にストッパ構造１００が設けられ、ストッパ構造はスリーブがスリーブの軸線方向に沿ってランプハウジングに対して移動することを制限する。一定の範囲内の深さが異なる取付筒に対して、取付筒の筒口を覆うことを実現する。【選択図】図２
0003234022.tif 000002
【実用新案登録請求の範囲】
【請求項１】
伸縮可能なダウンライトであって、スリーブと、前記スリーブの一端に取り付けられた口金と、前記スリーブの他端に接続された弾性部品と、前記スリーブの外部に嵌設されたランプハウジングと、前記ランプハウジング内に固定的に取り付けられかつ前記弾性部品の前記スリーブから離れた一端に接続された組立部品と、前記ランプハウジング内に取り付けられた光源アセンブリと、及び前記ランプハウジングの外側に取り付けられた面リングとを備え、前記ランプハウジングは前記スリーブを通過させるための退位開口を有し、前記スリーブと前記ランプハウジングとの間にストッパ構造が設けられ、前記ストッパ構造は前記スリーブが前記スリーブの軸線方向に沿って前記ランプハウジングに対して移動することを制限するためのものであることを特徴とする伸縮可能なダウンライト。
【請求項２】
前記ストッパ構造は前記スリーブの外面に設置された第１のストッパ柱、及び前記退位開口に設置された第１のストッパ台を備え、前記第１のストッパ台に前記第１のストッパ柱に適合する少なくとも一つの第１のストッパ溝が開設され、前記第１のストッパ柱は前記スリーブの軸線を回転軸として所定の角度を回転した後に前記第１のストッパ溝に入ることができることを特徴とする請求項１に記載の伸縮可能なダウンライト。
【請求項３】
前記第１のストッパ溝の数は二つであり、前記第１のストッパ台に二つの前記第１のストッパ溝と連通する退位切欠きが開設され、二つの前記第１のストッパ溝が対向して設置されることを特徴とする請求項２に記載の伸縮可能なダウンライト。
【請求項４】
前記第１のストッパ台に前記ランプハウジングに接続された補強リブが設けられることを特徴とする請求項２に記載の伸縮可能なダウンライト。
【請求項５】
前記ストッパ構造は前記退位開口に設置された第２のストッパ柱、及び前記スリーブの外面に設置された第２のストッパ台を備え、前記第２のストッパ台に前記第２のストッパ柱に適合する第２のストッパ溝が開設され、前記第２のストッパ台は前記スリーブの軸線を回転軸として所定の角度を回転した後、前記第２のストッパ柱は前記第２のストッパ溝内に入ることができることを特徴とする請求項１に記載の伸縮可能なダウンライト。
【請求項６】
前記弾性部品は前記スリーブと前記組立部品との間に接続された少なくとも一つの引張バネを備え、前記引張バネの対向する両端はそれぞれ第１のフック及び第２のフックを有し、前記スリーブに前記第１のフックに適合する第１の吊り孔が開設され、前記組立部品に前記第２のフックに適合する第２の吊り孔が開設されることを特徴とする請求項１〜５のいずれか一項に記載の伸縮可能なダウンライト。
【請求項７】
前記面リングは前記ランプハウジングに取り外し可能に接続されることを特徴とする請求項１〜５のいずれか一項に記載の伸縮可能なダウンライト。
【請求項８】
前記光源アセンブリは前記組立部品に取り付けられた光源板、前記スリーブ内に設けられた駆動板、及び前記駆動板と前記光源板との間に接続されたバネ線を備えることを特徴とする請求項１〜５のいずれか一項に記載の伸縮可能なダウンライト。
【請求項９】
前記スリーブと前記組立部品との間に可撓性緩衝部品が設置され、前記可撓性緩衝部品は前記組立部品に固定的に取り付けられることを特徴とする請求項８に記載の伸縮可能なダウンライト。
【請求項１０】
前記駆動板に係止溝が開設され、前記スリーブに前記係止溝に適合する係止フックが設置されることを特徴とする請求項８に記載の伸縮可能なダウンライト。
【考案の詳細な説明】
【技術分野】
【０００１】
本出願は照明装置の分野に関し、特に伸縮可能なダウンライトに関する。
【背景技術】
【０００２】
現在市販されている交換ランプの多くは固定ランプ型であり、このようなランプを天井などの使用環境の取付筒に取り付ける時、露出した電球が見え、かつ筒の内部構造を直接見ることができ、美観ではない。対応する解決手段として、電球に装飾カラーを直接掛けることである。しかしこのような解決手段には取り付け及び交換が不便であるだけでなく、取付筒の深さが異なるため、スポットが不均一であるという現象を引き起こしやすい。
【考案の概要】
【考案が解決しようとする課題】
【０００３】
本出願の目的は伸縮可能なダウンライトを提供することであり、従来の技術において、ダウンライトが一定の範囲内の深さの異なる取付筒に適合できないという問題を解決することを目的とする。
【課題を解決するための手段】
【０００４】
この目的を達成するために、本出願の実施例は以下の技術的解決手段を採用する。
【０００５】
伸縮可能なダウンライトであって、スリーブと、前記スリーブの一端に取り付けられた口金と、前記スリーブの他端に接続された弾性部品と、前記スリーブの外部に嵌設されたランプハウジングと、前記ランプハウジング内に固定的に取り付けられかつ前記弾性部品の前記スリーブから離れた一端に接続された組立部品と、前記ランプハウジング内に取り付けられた光源アセンブリと、及び前記ランプハウジングの外側に取り付けられた面リングを備え、前記ランプハウジングは前記スリーブを通過させるための退位開口を有し、前記スリーブと前記ランプハウジングとの間にストッパ構造が設けられ、前記ストッパ構造は前記スリーブが前記スリーブの軸線方向に沿って前記ランプハウジングに対して移動することを制限するためのものである。
【０００６】
一つの実施例において、前記ストッパ構造は前記スリーブの外面に設置された第１のストッパ柱、及び前記退位開口に設置された第１のストッパ台を備え、前記第１のストッパ台に前記第１のストッパ柱に適合する少なくとも一つの第１のストッパ溝が開設され、前記第１のストッパ柱は前記スリーブの軸線を回転軸として所定の角度を回転した後に前記第１のストッパ溝に入ることができる。
【０００７】
一つの実施例において、前記第１のストッパ溝の数は二つであり、前記第１のストッパ台に二つの前記第１のストッパ溝と連通する退位切欠きが開設され、二つの前記第１のストッパ溝が対向して設置される。
【０００８】
一つの実施例において、前記第１のストッパ台に前記ランプハウジングに接続された補強リブが設けられる。
【０００９】
一つの実施例において、前記ストッパ構造は前記退位開口に設置された第２のストッパ柱、及び前記スリーブの外面に設置された第２のストッパ台を備え、前記第２のストッパ台に前記第２のストッパ柱に適合する第２のストッパ溝が開設され、前記第２のストッパ台は前記スリーブの軸線を回転軸として所定の角度を回転した後、前記第２のストッパ柱は前記第２のストッパ溝内に入ることができる。
【００１０】
一つの実施例において、前記弾性部品は前記スリーブと前記組立部品との間に接続された少なくとも一つの引張バネを備え、前記引張バネの対向する両端はそれぞれ第１のフック及び第２のフックを有し、前記スリーブに前記第１のフックに適合する第１の吊り孔が開設され、前記組立部品に前記第２のフックに適合する第２の吊り孔が開設される。
【００１１】
一つの実施例において、前記面リングは前記ランプハウジングに取り外し可能に接続される。
【００１２】
一つの実施例において、前記光源アセンブリは前記組立部品に取り付けられた光源板、前記スリーブ内に設けられた駆動板、及び前記駆動板と前記光源板との間に接続されたバネ線を備える。
【００１３】
一つの実施例において、前記スリーブと前記組立部品との間に可撓性緩衝部品が設置され、前記可撓性緩衝部品は前記組立部品に固定的に取り付けられる。
【００１４】
一つの実施例において、前記駆動板に係止溝が開設され、前記スリーブに前記係止溝に適合する係止フックが設置される。
【００１５】
一つの実施例において、前記スリーブの外面にリミットリブが設けられる。
【００１６】
一つの実施例において、前記スリーブに第１の吊り板が設置され、前記第１の吊り孔が前記第１の吊り板に開設され、前記組立部品は前記ランプハウジングに係止された組立アルミニウム、及び前記組立アルミニウムに固定的に取り付けられたパッドブロックを備え、前記パッドブロックに収容溝が開設され、前記収容溝内に第２の吊り板が設置され、前記第２の吊り孔が前記第２の吊り板に開設される。
【００１７】
一つの実施例において、前記引張バネの数は二つであり、二つの前記引張バネは互いに平行でかつ間隔を隔てて設置される。
【００１８】
一つの実施例において、前記口金は前記ランプハウジングの外部に位置し、前記ランプハウジングの外径は前記口金から離れる方向に沿って徐々に増大し、前記面リングの内径は前記ランプハウジングの最小外径より大きく、前記面リングの内径は前記ランプハウジングの最大外径より小さい。
【００１９】
一つの実施例において、前記光源アセンブリはさらに前記ランプハウジングに接続されたランプカバーを備え、前記ランプカバーは前記ランプハウジングに係止するか又は接着して接続され、前記組立部品に前記バネ線を通過させるための退位孔が開設され、前記バネ線は前記退位孔を通過しかつ前記光源板に接続され、前記光源板は前記組立部品に加締め接続される。
【００２０】
一つの実施例において、前記ランプハウジングの内壁に前記第１のストッパ柱に対応する組立指示矢印が設置され、前記組立指示矢印の延長線は前記退位切欠きを通過する。
【考案の効果】
【００２１】
本出願の実施例の有益な効果は以下のとおりである。伸縮可能なダウンライトを取り付ける時に、まずスリーブをランプハウジングからほぼ完全に伸び出す状態に引き、口金と取付筒が固定された後に、弾性部品の復帰作用により、ランプハウジング及び面リングが取付筒の筒口に近づく方向に移動するように駆動し、一定の距離を移動した後に面リングが天井に当接しかつ取付筒の筒口を覆う。したがって一定の範囲内の深さが異なる取付筒に対して、弾性部品はランプハウジング及び面リングが異なる距離を移動するように駆動した後、いずれも面リングが天井に当接しかつ取付筒の筒口を覆うことを実現することができ、伸縮可能なダウンライトの取付を完了する。
【図面の簡単な説明】
【００２２】
本出願の実施例に係る技術的手段をより明らかにするために、以下、実施例又は従来技術の説明に使用する必要がある図面を簡単に説明するが、明らかなことに、以下の説明における図面は、本出願のいくつかの実施例に過ぎない。当業者であれば、創造的な工夫をせずに、これらの図面により他の図面を取得することができる。
【００２３】
【図１】本出願の実施例における伸縮可能なダウンライトが天井の取付筒に取り付けられた概略図である。
【図２】本出願の実施例における伸縮可能なダウンライトの断面図である。
【図３】本出願の実施例における伸縮可能なダウンライトの分解図である。
【図４】本出願の実施例におけるストッパ構造の概略図である。
【図５】図４におけるＡ箇所の部分拡大図である。
【図６】本出願の実施例における組立部品の分解図である。
【考案を実施するための形態】
【００２４】
本出願の目的、技術的解決手段及び利点をより明確にするために、以下に図面及び実施例を参照しながら、本出願をさらに詳細に説明する。理解されるように、ここで説明された具体的な実施例は本出願を説明するためのものに過ぎず、本出願を限定するものではない。
【００２５】
なお、部品が他の部品に「固定される」又は「設置される」場合、それが直接的に他の部品に位置するか又は間接的に該部品に位置してもよい。ある部品が他の部品に「接続される」場合、それが他の部品に直接的に接続されるか又は他の部品に間接的に接続されてもよい。
【００２６】
なお、用語「長さ」、「幅」、「上」、「下」、「前」、「後」、「左」、「右」、「垂直」、「水平」、「頂」、「底」、「内」、「外」等が標示した方位又は位置関係は、図面に基づいて示された方位又は位置関係であり、本出願を説明し説明を簡略化するためのものだけであり、指定された装置又は部品が特定の方位を有し、特定の方位で構成され操作されることを指示するか又は暗示するものではなく、したがって本出願を限定するものと理解すべきではない。
【００２７】
また、用語「第１」、「第２」は単に目的を説明するために用いられ、相対的な重要性を指示するか又は暗示するか又は指示された技術的特徴の数量を暗黙的に示すと理解されるべきではない。これにより、「第１」、「第２」が限定された特徴は一つ又は複数の該特徴を明示的又は暗黙的に含むことができる。本出願の説明において、「複数」の意味は二つ以上であり、特に具体的な限定がない限りである。
【００２８】
以下に具体的な実施例を参照しながら本出願の実現を詳細に説明する。
【００２９】
図１〜図３に示すように、本出願の実施例は伸縮可能なダウンライトを提供し、スリーブ１、スリーブ１の一端に取り付けられた口金３、スリーブ１の他端に接続された弾性部品４、スリーブ１の外部に嵌設されたランプハウジング２、ランプハウジング２内に固定的に取り付けられかつ弾性部品４のスリーブ１から離れた一端に接続された組立部品５、ランプハウジング２内に取り付けられた光源アセンブリ６、及びランプハウジング２外に取り付けられた面リング７を備え、ランプハウジング２はスリーブ１が通過するための退位開口２１を有し、スリーブ１とランプハウジング２との間にストッパ構造１００が設けられ、ストッパ構造１００はスリーブ１がスリーブ１の軸線方向に沿ってランプハウジング２に対して移動することを制限するために用いられる。
【００３０】
本出願の実施例において、図４〜図５を同期して参照し、伸縮可能なダウンライトの取付過程は以下のとおりである（以下に天井２００に取り付けられた取付筒２００１を例として説明し、取付筒２００１の筒口の内径を面リング７の外径よりも小さく設定する）。直接的に引っ張るか又は口金３によりスリーブ１を引っ張ることにより（スリーブ１の軸線方向に沿って引っ張られ、この時に弾性部品４が変形する）、退位開口２１を通過してスリーブ１の本体をランプハウジング２から伸び出すまで引っ張り、スリーブ１がランプハウジング２から完全に離れる場合、スリーブ１とハウジングとの間のストッパ構造１００によりスリーブ１がスリーブ１の軸線方向に沿ってランプハウジング２に対して運動し続けることを制限し、したがってストッパ構造１００が作用し始めた後、スリーブ１とランプハウジング２との間が互いに静止するように保持する。次に伸縮可能な筒形ランプの口金３を有する一端を天井２００上の取付筒２００１内に挿入し、口金３を取付筒２００１内の対応する取付座に固定する。その後にストッパ構造１００のランプハウジング２とスリーブ１との間の作用を解除することにより、スリーブ１はスリーブ１の軸線方向に沿ってランプハウジング２に対して移動することができ、この時に弾性部品４は元の形状に復帰する収縮傾向を有し（口金３が固定的に取り付けられ、スリーブ１も取付筒２００１に間接的に固定的に取り付けられる）、さらにランプハウジング２がスリーブ１の軸線方向に沿って移動するように駆動し、かつランプ本体に近接する方向に移動し、面リング７はランプハウジング２に伴って移動する。面リング７が天井２００に当接するまで移動する時、ランプハウジング２も天井２００に間接的に当接し、ランプハウジング２と面リング７は位置固定を実現し、さらに伸縮可能なダウンライトの取り付けを実現する。
【００３１】
したがって、本出願の実施例が提供する伸縮可能なダウンライトは、取り付ける時に、まずスリーブ１をランプハウジング２からほぼ完全に伸びる状態に引き、口金３が取付筒２００１に固定された後に、さらに弾性部品４の復帰作用により、ランプハウジング２及び面リング７が取付筒２００１の筒口に近づく方向（即ち口金３に近づく方向）に移動するように駆動し、一定の距離を移動した後に面リング７が天井２００に当接しかつ取付筒２００１の筒口を覆う。したがって一定の範囲内（取付筒２００１の深さを満たす必要があり、スリーブ１とランプハウジング２の長さの和より小さい）の深さが異なる取付筒２００１に対して、弾性部品４はランプハウジング２及び面リング７が異なる距離を移動するように駆動した後、いずれも面リング７が天井２００に当接しかつ取付筒２００１の筒口を覆うことを実現し、取付を完了することができる。そして面リング７は異なる深さの取付筒２００１の開口に対していずれも被覆を実現することができ、内部構造の露出を回避し、見栄えが良い。
【００３２】
伸縮可能なダウンライトの取り外し過程は以下のとおりである。まず、ストッパ構造１００を利用してスリーブ１がスリーブ１の軸線方向に沿ってランプハウジング２に対して移動することを制限し、次に口金３と取付筒２００１との接続関係を解除すれば、操作を完了することができる。具体的には上記取り付け過程と逆であり、ここで説明を省略する。
【００３３】
図４に示すとおり、本出願の提供する伸縮可能なダウンライトの別の具体的な実施形態として、ストッパ構造１００はスリーブ１の外面に設置された第１のストッパ柱１１、及び退位開口２１に設置された第１のストッパ台２２を備え、第１のストッパ台２２に第１のストッパ柱１１に適合する少なくとも一つの第１のストッパ溝２２１が開設され、第１のストッパ柱１１はスリーブ１の軸線を回転軸として所定の角度を回転した後に第１のストッパ溝２２１に入ることができる。
【００３４】
該実施例におけるストッパ構造１００はスリーブ１がランプハウジング２に対してスリーブ１の軸線方向に沿って移動することを制限する動作過程は以下のとおりである。第１のストッパ柱１１がスリーブ１に伴って第１のストッパ台２２と同一平面に移動する時（第１のストッパ台２２と重合領域を有する時）、スリーブ１が所定の角度を回転し、第１のストッパ柱１１が第１のストッパ台２２上の第１のストッパ溝２２１内に挿入するように駆動し、その後に外力を解除し、第１のストッパ柱１１と第１のストッパ溝２２１の内壁との間の摩擦力でスリーブ１が逆方向に回転することを回避することができ、この時に第１のストッパ柱１１と第１のストッパ溝２２１との相互作用でスリーブ１がランプハウジング２に対してスリーブ１の軸線方向に沿って移動することを回避することができる。
【００３５】
ストッパ構造１００のスリーブ１がランプハウジング２に対してスリーブ１の軸線方向に沿って移動することに対する制限を解除する動作過程は以下のとおりである。スリーブ１を逆に回転し、第１のストッパ柱１１が第１のストッパ溝２２１から離脱するように駆動すればよい。
【００３６】
図４〜図５に示すとおり、本出願の提供する伸縮可能なダウンライトの別の具体的な実施形態として、第１のストッパ溝２２１の数は二つであり、第１のストッパ台２２に二つの第１のストッパ溝２２１と連通する退位切欠き２２２が開設され、二つの第１のストッパ溝２２１が対向して設置される。スリーブ１を引いて第１のストッパ柱１１がスリーブ１の軸線方向に沿って移動するように駆動することにより、第１のストッパ柱１１が退位切欠き２２２を通過して二つの第１のストッパ溝２２１の間に到達し、次にスリーブ１に移行し、第１のストッパ柱１１が二つの第１のストッパ溝２２１のうちのいずれか一つに入るようにすればよい。すなわちスリーブ１は二つの方向に回転していずれもそのうちの一つの第１のストッパ溝２２１に到達することができ、さらに操作の利便性と成功率を増加させ、特に第１のストッパ柱１１と第１のストッパ溝２２１はいずれも伸縮可能なダウンライトの内部に位置し、操作者は直接観察することができず、操作の利便性を顕著に向上させる。
【００３７】
図５に示すとおり、本出願の提供する伸縮可能なダウンライトの別の具体的な実施形態として、第１のストッパ台２２にランプハウジング２に接続された補強リブ２２３が設置され、第１のストッパ柱１１が第１のストッパ溝２２１の内壁により第１のストッパ台２２に力を加える場合、第１のストッパ台２２の構造が破損しにくい。
【００３８】
理解されるように、上記第１のストッパ台２２に第１のストッパ溝２２１が設置されなくてもよく、第１のストッパ柱１１がスリーブ１に伴って第１のストッパ台２２の組立部品５から離れた一側に位置するまで移動する場合（この場合に第１のストッパ柱１１と第１のストッパ台２２とは重合関係がない）、スリーブ１を回転して第１のストッパ柱１１を第１のストッパ台２２に近づく方向に一定の角度を回転するように駆動し、その後に外力を解除し、第１のストッパ柱１１を第１のストッパ台２２の組立部品５から離れた一側の表面に当接させ、第１のストッパ柱１１と第１のストッパ台２２との間の摩擦力でスリーブ１が逆方向に回転することを回避することができ、この場合に第１のストッパ柱１１と第１のストッパ台２２の表面との相互作用でスリーブ１がランプハウジング２に対してスリーブ１の軸線方向に沿って移動することを回避することができる。当然のことながら、第１のストッパ柱１１と第１のストッパ台２２の位置は交換可能である。又は、第１のストッパ台２２の組立部品５から離れた一側に第１のストッパ柱１１に適合する溝、及び他の類似構造を開設することにより、スリーブ１がスリーブ１の軸線方向に沿ってランプハウジング２に対して移動することを制限すればよく、ここで網羅しない。
【００３９】
図に示すとおり、本出願の提供する伸縮可能なダウンライトの別の具体的な実施形態として、ストッパ構造１００は退位開口２１に設置された第２のストッパ柱、及びスリーブ１の外面に設置された第２のストッパ台を備え、第２のストッパ台に第２のストッパ柱に適合する第２のストッパ溝が開設され、第２のストッパ台はスリーブ１の軸線を回転軸として所定の角度を回転した後、第２のストッパ柱は第２のストッパ溝内に入ることができる。
【００４０】
該実施例におけるストッパ構造１００と上記第１のストッパ台２２及び第１のストッパ柱１１の構造は位置の変換であり、それはスリーブ１がランプハウジング２に対してスリーブ１の軸線方向に沿って移動するように制限する動作過程は以下のとおりである。第２のストッパ台がスリーブ１に伴って第２のストッパ柱と同一平面に移動する時（第２のストッパ柱と重合領域を有する時）、スリーブ１は所定の角度を回転し、第２のストッパ台が移動して第２のストッパ柱を第２のストッパ台の第２のストッパ溝内に挿入させるように駆動し、次に外力を解除し、第２のストッパ柱と第２のストッパ溝の内壁との間の摩擦力でスリーブ１が逆方向に回転することを回避することができ、この時に第２のストッパ柱と第２のストッパ溝との相互作用でスリーブ１がランプハウジング２に対してスリーブ１の軸線方向に沿って移動することを回避することができる。
【００４１】
ストッパ構造１００のスリーブ１がランプハウジング２に対してスリーブ１の軸線方向に沿って移動することに対する制限を解除する動作過程は以下のとおりである。スリーブ１を逆方向に回転し、第２のストッパ柱が第２のストッパ溝から離脱するように駆動すればよい。
【００４２】
図２〜図４に示すとおり、本出願の提供する伸縮可能なダウンライトの別の具体的な実施形態として、弾性部品４はスリーブ１と組立部品５との間に接続された少なくとも一つの引張バネ４１を含み、引張バネ４１の対向する両端はそれぞれ第１のフック４１１及び第２のフック４１２を有し、スリーブ１に第１のフック４１１に適合する第１の吊り孔１２が開設され、組立部品５に第２のフック４１２に適合する第２の吊り孔５４が開設される。取り付ける時に、引張バネ４１の第１のフック４１１をスリーブ１の第１の吊り孔１２に掛け込め、第２のフック４１２を組立部品５の第２の吊り孔５４に掛け込めばよく、組立難度が低く、かつ掛け込め接続の安定性が高く、引張バネ４１がスリーブ１及び組立部品５から離脱しにくい。
【００４３】
図２に示すとおり、本出願の提供する伸縮可能なダウンライトの別の具体的な実施形態として、面リング７はランプハウジング２に取り外し可能に接続される。例えば面リング７の内径がランプハウジング２の最小外径よりも大きく、面積の内径がランプハウジング２の最大外径よりも小さいことにより、面リング７を締り嵌めの方式でランプハウジング２に取り付けることができ、該方式で異なる外径の面リング７を交換することができ、異なる内径の取付筒２００１の取付要求を満たす。又は係止などの迅速に着脱する方式で、異なる外径の面リング７を交換して異なる内径の取付筒２００１に適合することを満たす。
【００４４】
図２〜図３に示すとおり、本出願の提供する伸縮可能なダウンライトの別の具体的な実施形態として、光源アセンブリ６は組立部品５に取り付けられた光源板６１、スリーブ１内に設けられた駆動板６２、及び駆動板６２と光源板６１との間に接続されたバネ線６３を備える。駆動板６２はスリーブ１内に設置され、ランプハウジング２内に駆動板６２の取付空間を単独に設置する必要がなく、ランプハウジング２の内部空間を十分に利用することができ、さらにダウンライトの外部寸法を効果的に低減する。バネ線６３は駆動板６２がスリーブ１に伴って移動する過程において、光源板６１と駆動板６２との間の電気的接続関係を保持し続けることができる。
【００４５】
図２〜図３に示すとおり、本出願の提供する伸縮可能なダウンライトの別の具体的な実施形態として、スリーブ１と組立部品５との間に可撓性緩衝部品９が設置される。可撓性緩衝部品９は組立部品５に固定的に取り付けられる。可撓性緩衝部品９は発泡綿などの一定の変形緩衝空間を有する物体であってもよく、弾性部品４が復帰してスリーブ１が組立部品５に近接して移動するように駆動する場合、可撓性緩衝部品９はスリーブ１の衝撃力を効果的に緩衝することができ、スリーブ１及びスリーブ１内に取り付けられた駆動板６２と組立部品５が剛性衝撃を発生することを回避し、駆動板６２が受ける衝撃力は駆動板６２の許容範囲内になるように小さくすることを保証し、伸縮可能なダウンライトの有効寿命を効果的に向上させることができる。
【００４６】
図４に示すとおり、本出願の提供する伸縮可能なダウンライトの別の具体的な実施形態として、駆動板６２に係止溝６２１が開設され、スリーブ１に係止溝６２１に適合する係止フック１４が設置され、組み立てる時、駆動板６２がスリーブ１に挿入された後、スリーブ１上の係止フック１４が駆動板６２上の係止溝６２１に係止され、駆動板６２がスリーブ１に固定的に取り付けられることを実現する。
【００４７】
図４に示すとおり、本出願の提供する伸縮可能なダウンライトの別の具体的な実施形態として、スリーブ１の外面にリミットリブ１５が設けられ、リミットリブ１５は第１のリミット台２２等の構造に係合することができ、スリーブ１が一定の角度を回転した後、スリーブ１上のリミットリブ１５は第１のリミット台２２等の構造と当接することにより、スリーブ１が回転し続けることができず、スリーブ１の回転角度が大きすぎることでバネ線６３と引張バネ４１が一体に巻かれることを回避することにより、バネ線６３の使用過程における安全性を保証する。
【００４８】
図２〜図６に示すとおり、本出願の提供する伸縮可能なダウンライトの別の具体的な実施形態として、スリーブ１に第１の吊り板１３が設けられ、第１の吊り孔１２は第１の吊り板１３に開設され、組立部品５はランプハウジング２に係止された組立アルミニウム５１、及び組立アルミニウム５１に固定的に取り付けられたパッドブロック５２（パッドブロック５２と組立アルミニウム５１はネジで接続されてもよい）を備える。パッドブロック５２に収容溝５２１が開設され、収容溝５２１内に第２の吊り板５２２が設置され、第２の吊り孔５４が第２の吊り板５２２に開設され、したがって引張バネ４１が収容溝５２１内に伸びて第２の吊り板５２２上の第２の吊り孔５４に係合し、収容溝５２１は引張バネ４１に一定の制限作用を提供することができ、引張バネ４１が径方向に偏向することを効果的に回避することにより、引張バネ４１が主に自身の軸線に沿って移動する。  
【００４９】
図２〜図３に示すとおり、本出願の提供する伸縮可能なダウンライトの別の具体的な実施形態として、引張バネ４１の数は二つであり、二つの引張バネ４１は互いに平行でかつ間隔を隔てて設置され、対称的な方式で設置され、引張バネ４１の引張と収縮時にスリーブ１、組立部品５及びランプハウジング２に印加された引張力はいずれも安定である。
【００５０】
図１〜図２に示すとおり、本出願の提供する伸縮可能なダウンライトの別の具体的な実施形態として、口金３はランプハウジング２の外部に位置し、ランプハウジング２の外径は口金３から離れる方向に沿って徐々に増大し、面リング７の内径はランプハウジング２の最小外径より大きく、面リング７の内径はランプハウジング２の最大外径より小さい。したがって面リング７は口金３の一端にランプハウジング２の外部に嵌設されてもよく、その後にランプハウジング２の外径が面リング７の内径に適合するまで、ランプハウジング２の口金３から離れた一端に移動し、面リング７を締り嵌めの方式でランプハウジング２に固定する。
【００５１】
図２及び図６に示すとおり、本出願の提供する伸縮可能なダウンライトの別の具体的な実施形態として、光源アセンブリ６はさらにランプハウジング２に接続されたランプカバー８を含み、ランプカバー８はランプハウジング２に係止するか又は接着して接続され、迅速に着脱することができる。組立部品５にバネ線６３を通過させるための退位孔５３が開設され、バネ線６３は退位孔５３を通過しかつ光源板６１に接続され、したがってバネ線６３は直線の方式で配置することができる。光源板６１は組立部品５に加締め接続され、光源板６１はまずバネ線６３に溶接接続された後、組立部品５上の加締め板を利用して光源板６１上の加締め孔に加締め嵌合される。
【００５２】
図４に示すとおり、本出願の提供する伸縮可能なダウンライトの別の具体的な実施形態として、ランプハウジング２の内壁に第１のストッパ柱１１に対応する組立指示矢印２３が設置され、組立指示矢印２３の延長線は退位切欠き２２２を通過する。組み立てる時、スリーブ１上の第１のストッパ柱１１とランプハウジング２の内壁の組立指示矢印２３を位置合わせし、したがってスリーブ１は自体の軸線方向に沿って第１のストッパ台２２に移動した後、第１のストッパ台２２上の退位切欠き２２２を通過して二つの第１のストッパ溝２２１の間に到達することができ、この時に二つの方向にスリーブ１を回転させ、いずれも第１のストッパ柱１１がそのうちの一つの第１のストッパ溝２２１内に到達することを実現することができる。
【００５３】
理解できるように、別の具体的な実施形態における解決手段は他の実施例に基づいてさらに改良された実現可能な実施形態であってもよい。
【００５４】
明らかに、本出願の上記実施例は本出願を明確に説明するための例に過ぎず、本出願の実施形態を限定するものではない。当業者にとって、上記説明に基づいて他の異なる形式の変化又は変動を行うことができる。ここで全ての実施形態を網羅する必要がない。本出願の精神及び原則内で行われるいかなる修正、同等置換及び改善等は、いずれも本出願の特許請求の範囲内に含まれるべきである。
【符号の説明】
【００５５】
１：スリーブ、１１：第１のストッパ柱、１２：第１の吊り孔、１３：第１の吊り板、１４：係止フック、１５：リミットリブ、
２：ランプハウジング、２１：退位開口、２２：第１のストッパ台、２２１：第１のストッパ溝、２２２：退位切欠き、２２３：補強リブ、２３：組立指示矢印、
３：口金、
４：弾性部品、４１：引張バネ、４１１：第１のフック、４１２：第２のフック、
５：組立部品、５１：組立アルミニウム、５２：パッドブロック、５２１：収容溝、５２２：第２の吊り板、５３：退位孔、５４、第２の吊り孔、
６：光源アセンブリ、６１：光源板、６２：駆動板、６２１：係止溝、６３：バネ線、
７：面リング、８：ランプカバー、９：可撓性緩衝部品、
１００：ストッパ構造、２００：天井、２００１：取付筒
【図１】
0003234022.tif 000003
【図２】
0003234022.tif 000004
【図３】
0003234022.tif 000005
【図４】
0003234022.tif 000006
【図５】
0003234022.tif 000007
【図６】
0003234022.tif 000008